(57)【要約】  安定した隊列走行を実現できる車両を提供すること。車両（１００）は、所定の車間距離を維持しながら前方車両に追従して自動走行する車両であって、車両の周辺に存在する移動体を検出する検出部（１１０）と、検出部（１１０）によって検出された移動体のうち、前方車両と車両との間の領域へ進入しうる進入移動体を決定し、進入移動体と領域との間の距離に基づいて、車両を加速または減速させる制御部（１６０）と、を有する。
2020166433.tif 000002
【特許請求の範囲】
【請求項１】
所定の車間距離を維持しながら前方車両に追従して自動走行する車両であって、
前記車両の周辺に存在する移動体を検出する検出部と、
前記検出部によって検出された移動体のうち、前記前方車両と前記車両との間の領域へ進入しうる進入移動体を決定し、前記進入移動体と前記領域との間の距離に基づいて、前記車両を加速または減速させる制御部と、を有する、
車両。
【請求項２】
前記制御部は、
前記距離が第１閾値以上である場合、前記所定の車間距離が、前記所定の車間距離よりも小さい車間距離となるまで、前記車両を加速させ、
前記距離が前記第１閾値より小さい第２閾値未満である場合、前記所定の車間距離が、前記所定の車間距離よりも大きい車間距離となるまで、前記車両を減速させる、
請求項１に記載の車両。
【請求項３】
前記制御部は、
前記距離が前記第１閾値以上であり、かつ、前記車両に搭乗者がいる場合、前記所定の車間距離が、前記所定の車間距離よりも小さい第１車間距離となるまで、前記車両を加速させ、
前記距離が前記第１閾値以上であり、かつ、前記車両に搭乗者がいない場合、前記所定の車間距離が、前記第１車間距離よりも小さい第３車間距離となるまで、前記車両を加速させる、
請求項２に記載の車両。
【請求項４】
前記制御部は、
前記距離が前記第２閾値未満であり、かつ、前記車両に搭乗者がいる場合、前記所定の車間距離が、前記所定の車間距離よりも大きい第２車間距離となるまで、前記車両を減速させ、
前記距離が前記第２閾値未満であり、かつ、前記車両に搭乗者がいない場合、前記所定の車間距離が、前記第２車間距離よりも大きい第４車間距離となるまで、前記車両を減速させる、
請求項２に記載の車両。
【請求項５】
前記制御部は、
前記距離が前記第１閾値未満、前記第２閾値以上であり、前記車両に搭乗者がいる場合、前記所定の車間距離が、前記所定の車間距離より大きい車間距離となるまで、前記車両を減速させ、
前記距離が前記第１閾値未満、前記第２閾値以上であり、前記車両に搭乗者がいない場合、前記所定の車間距離が、前記所定の車間距離より小さい車間距離となるまで、前記車両を加速させる、
請求項２に記載の車両。
【請求項６】
前記制御部は、
前記検出部によって検出された移動体のうち、前記領域へ向かって移動している移動体を、前記進入移動体に決定する、
請求項１に記載の車両。
【発明の詳細な説明】
【技術分野】
【０００１】
本開示は、前方の車両に追従して自動走行する車両に関する。
【背景技術】
【０００２】
例えば特許文献１には、先導車両に追従して隊列走行する自動走行車両が開示されている。この自動走行車両は、走行方向に直交する方向（換言すれば、自動走行車両の車幅方向）の加速度に応じて加速または減速を行う。これにより、自動走行車両と先導車両との間で、車種が異なり、カーブにおける遠心力や走行軌跡に違いが生じる場合でも、自動走行車両は安定した走行を実現することができるとしている。
【先行技術文献】
【特許文献】
【０００３】
【特許文献１】特許第５１０１１３３号公報
【発明の概要】
【発明が解決しようとする課題】
【０００４】
しかしながら、特許文献１の自動走行車両は、その自動走行車両と先導車両との間に他の移動体（例えば、人間）が進入した場合、走行を停止する。そのため、隊列が分断され、安定した隊列走行が実現されないという問題がある。【０００５】
本開示の一態様の目的は、安定した隊列走行を実現できる車両を提供することである。
【課題を解決するための手段】
【０００６】
本開示の一態様に係る車両は、所定の車間距離を維持しながら前方車両に追従して自動走行する車両であって、前記車両の周辺に存在する移動体を検出する検出部と、前記検出部によって検出された移動体のうち、前記前方車両と前記車両との間の領域へ進入しうる進入移動体を決定し、前記進入移動体と前記領域との間の距離に基づいて、前記車両を加速または減速させる制御部と、を有する。
【発明の効果】
【０００７】
本開示によれば、安定した隊列走行を実現できる車両を提供できる。
【図面の簡単な説明】
【０００８】
【図１Ａ】本開示の実施の形態に係る車両の上面を示す模式図
【図１Ｂ】本開示の実施の形態に係る車両の右側面を示す模式図
【図２】本開示の実施の形態に係る車両の構成の一例を示すブロック図
【図３】本開示の実施の形態に係る第１設定領域および第２設定領域の一例を示す模式図
【図４】本開示の実施の形態に係る各種車間距離の一例を示す模式図
【図５】本開示の実施の形態に係る車両の動作の一例を示すフローチャート
【図６】本開示の実施の形態に係る車両と進入移動体との位置関係の一例を示す模式図
【発明を実施するための形態】
【０００９】
以下、本開示の実施の形態について、図面を参照しながら説明する。なお、各図において共通する構成要素については同一の符号を付し、それらの説明は適宜省略する。
【００１０】
まず、本実施の形態に係る車両１００の構成について、図１Ａ、図１Ｂ、図２を用いて説明する。
【００１１】
図１Ａは、車両１００の上面を示す模式図である。図１Ｂは、車両１００の右側面を示す模式図である。図２は、車両１００の構成の一例を示すブロック図である。
【００１２】
車両１００は、予め定められた車間距離（例えば、図４に示す車間距離Ｌ）を維持しながら前方車両（例えば、図４に示す車両２００）に追従して自動走行することが可能な車両である。また、車両１００は、電動式の車両である。
【００１３】
車両１００は、人が搭乗可能な車椅子型の構造を有する。具体的には、図１Ａ、図１Ｂに示すように、車両１００は、フレーム１０１、着座シート１０２、背もたれ部１０３、アームレスト１０４、および車輪１０５を備える。
【００１４】
また、図１Ａ、図１Ｂ、図２に示すように、車両１００は、検出部１１０、通信部１２０、駆動部１３０、操作部１４０、記憶部１５０、および制御部１６０を備える。
【００１５】
検出部１１０は、車両１００の周辺（例えば、前後左右の方向）に存在する移動体（例えば、人、他車両等）を検出する。移動体を検出できる範囲は、予め設定されており、例えば、車両１００（または、車両１００近傍に設定された基準点でもよい）を中心とした円形、半円形、または矩形の領域である。なお、検知部１１０は、隊列走行時、車両１００単独での自動走行時、および停車時のいずれの場合においても、移動体の検出を行うことができる。
【００１６】
また、検出部１１０は、移動体と車両１００との間の距離、および、車両１００の進行方向に対する移動体の存在方向を示す角度を測定する。
【００１７】
検出部１１０としては、例えば、レーザセンサ、超音波センサ、またはミリ波センサなどのデバイスを用いることができるが、それらに限定されない。
【００１８】
通信部１２０は、外部の装置と通信を行う。外部の装置としては、例えば、隊列走行時に車両１００が追従する前方車両に搭載された通信部、隊列走行時に車両１００が追従される後方車両に搭載された通信部、または、前方車両の位置情報を送信する端末装置などが挙げられる。
【００１９】
通信部１２０が受信する情報としては、例えば、前方車両および後方車両それぞれの速度情報や位置情報などが挙げられる。また、通信部１２０が送信する情報としては、例えば、車両１００の速度情報や位置情報などが挙げられる。なお、通信部１２０は、隊列走行時、車両１００単独での自動走行時、および停車時のいずれの場合においても、外部の装置と通信を行うことができる。
【００２０】
通信部１２０による通信方法としては、例えば、Ｗｉ-Ｆｉ（登録商標）、Ｂｌｕｅｔｏｏｔｈ（登録商標）、ミリ波などの無線通信、赤外線などの光通信、または超音波通信などを用いることができるが、それらに限定されない。
【００２１】
駆動部１３０は、制御部１６０の制御により、車輪１０５を回転させたり、車輪１０５を転舵させたりして、車両１００を走行させる。
【００２２】
操作部１４０は、ユーザによる操作を受け付ける。この操作としては、例えば、隊列走行または自律走行の実行を指示する操作や、車両１００における搭乗者の有無を設定する操作などが挙げられる。なお、操作部１４０は、車両１００における必須の構成要素ではない。
【００２３】
記憶部１５０は、例えば、予め定められた各種領域（図３参照）を示す情報、および、予め定められた各種車間距離（図４参照）を示す情報を記憶する。各種領域および各種車間距離の詳細については、後述する。
【００２４】
制御部１６０は、操作部１４０が受け付けた操作内容や検出部１１０の検出結果に応じて、適宜記憶部１５０から情報を読み出し、その情報に基づいて処理を行い、通信部１２０や駆動部１３０を制御する。この制御部１６０の動作の詳細については、後述する。
【００２５】
なお、図１Ａ、図１Ｂ、および図２では図示を省略しているが、制御部１６０は、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路等のハードウェアを有する。後述する制御部１６０の各機能は、例えば、ＣＰＵが、メモリに格納された制御プログラムを読み出して実行することにより、実現される。
【００２６】
以上、車両１００の構成について説明した。
【００２７】
次に、図３を用いて、予め定められた第１設定領域Ａ１および第２設定領域Ａ２について説明する。
【００２８】
図３は、第１設定領域Ａ１および第２設定領域Ａ２の一例を示す模式図である。図３は、車両１００の前方を走行する車両２００（前方車両の一例）と、その車両２００に追従して隊列走行している車両１００とを真上から見た状態を示している。また、図３は、車両２００および車両１００が、図中の左から右へ走行している場合を示している。
【００２９】
第１設定領域Ａ１および第２設定領域Ａ２は、車両１００を基準として予め設定された領域である。第２設定領域Ａ２は、車両２００と車両１００との間の領域である。第１設定領域Ａ１は、第２設定領域Ａ２を除いた領域である。
【００３０】
制御部１６０は、車両１００が車両２００に追従して隊列走行しているときに、検出部１１０により検出された移動体（図示略）のうち、第１設定領域Ａ１内に存在する移動体を、進入移動体に決定する。進入移動体とは、第２設定領域Ａ２内へ進入するおそれがある移動体である。
【００３１】
また、制御部１６０は、車両１００が車両２００に追従して隊列走行しているときに、検出部１１０により検出された移動体（図示略）が第２設定領域Ａ２内に進入した場合、車両１００の走行を停止するように駆動部１３０を制御する。
【００３２】
なお、第１設定領域Ａ１および第２設定領域Ａ２の大きさおよび形状は、図３に示す大きさおよび形状に限定されない。また、第１設定領域Ａ１は、検出部１１０が移動体を検出できる範囲と同じであってもよいし、異なっていてもよい。
【００３３】
以上、第１設定領域Ａ１および第２設定領域Ａ２について説明した。
【００３４】
次に、図４を用いて、予め定められた車間距離Ｌ、第１車間距離Ｌ１、第２車間距離Ｌ２、第３車間距離Ｌ３、および第４車間距離Ｌ４について説明する。
【００３５】
図４は、車間距離Ｌ、第１車間距離Ｌ１、第２車間距離Ｌ２、第３車間距離Ｌ３、および第４車間距離Ｌ４の一例を示す模式図である。図４は、車両２００と、その車両２００に追従して隊列走行している車両１００とを真上から見た状態を示している。また、図４は、車両２００および車両１００が、図中の左から右へ走行している場合を示している。
【００３６】
車間距離Ｌは、車両１００が車両２００に追従して隊列走行する際に維持される車間距離である。
【００３７】
第１車間距離Ｌ１、第２車間距離Ｌ２、第３車間距離Ｌ３、および第４車間距離Ｌ４は、車両１００が車両２００に追従して隊列走行しているときに、進入移動体が検出された場合に、車間距離Ｌから変更される車間距離である。車間距離Ｌは、例えば、図３に示した第２設定領域Ａ２の長手方向の長さと同じである。
【００３８】
第１車間距離Ｌ１および第３車間距離Ｌ３は、車間距離Ｌより小さい（短い）。また、第３車間距離Ｌ３は、第１車間距離Ｌ１より小さい。
【００３９】
また、第１車間距離Ｌ１は、例えば、車両１００の搭乗者に、車両１００が車両２００に追突するのではないかという不安を生じさせない距離である。
【００４０】
第２車間距離Ｌ２および第４車間距離Ｌ４は、車間距離Ｌより大きい（長い）。また、第４車間距離Ｌ４は、第２車間距離Ｌ２より大きい。
【００４１】
また、第２車間距離Ｌ２は、例えば、車両１００の搭乗者に、車両１００が車両２００へ追従せずに取り残されるのではないかという不安を生じさせない距離である。
【００４２】
以上、車間距離Ｌ、第１車間距離Ｌ１、第２車間距離Ｌ２、第３車間距離Ｌ３、および第４車間距離Ｌ４について説明した。
【００４３】
次に、車両１００の動作について、図５を用いて説明する。
【００４４】
図５は、車両１００の動作の一例を示すフローチャートである。図５に示す動作は、例えば、車両１００の操作部１４０において隊列走行の実行を指示する操作が行われ、車両１００が車両２００（図３、図４参照）に追従して隊列走行を開始した場合に開始される。
【００４５】
まず、制御部１６０は、検出部１１０により検出された移動体のうち、第１設定領域Ａ１（図３参照）内に移動体が存在するか否かを判定する（ステップＳ１）。
【００４６】
第１設定領域Ａ１内に移動体が存在しない場合（ステップＳ１：ＮＯ）、フローはステップＳ１へ戻る。
【００４７】
一方、第１設定領域Ａ１内に移動体が存在する場合（ステップＳ１：ＹＥＳ）、制御部１６０は、第１設定領域Ａ１内の移動体を、進入移動体に決定する（ステップＳ２）。進入移動体とは、上述したとおり、第２設定領域Ａ２（図３参照）へ進入するおそれがある移動体である。
【００４８】
次に、制御部１６０は、進入移動体と第２設定領域Ａ２との間の距離を算出する（ステップＳ３）。
【００４９】
ここで、ステップＳ３の算出処理について、図６を用いて説明する。図６は、車両１００と進入移動体Ｘとの位置関係の一例を示す模式図である。図６は、車両２００と、その車両２００に追従して隊列走行している車両１００と、進入移動体Ｘとを真上から見た状態を示している。また、図６は、車両２００および車両１００が、図中の左から右へ走行している場合を示している。
【００５０】
図６において、中心点ａは、車両１００の車幅方向（図中の上下方向）の中心点である。また、直線ｂは、中心点ａを起点として車両１００の進行方向（図中の右方向）を示す直線である。中心点ａおよび直線ｂは、制御部１６０にとって既知である。
【００５１】
また、図６において、距離ｃは、中心点ａと進入移動体Ｘとの間の距離である。角度θは、車両１００の進行方向（直線ｂ）に対する進入移動体Ｘの存在方向を示す角度である。距離ｃおよび角度θは、検出部１１０により測定され、制御部１６０へ通知される。
【００５２】
制御部１６０は、上述した中心点ａ、直線ｂ、距離ｃ、および角度θに基づいて、中心点ａと交点ｄとの間の距離を算出する。交点ｄは、中心点ａと進入移動体Ｘとを結んだ直線（距離ｃを示す直線）と、第２設定領域Ａ２の外縁部分との交点である。
【００５３】
そして、制御部１６０は、距離ｃから、中心点ａと交点ｄとの間の距離を差し引いて、進入移動体Ｘと第２設定領域Ａ２との間の距離（換言すれば、交点ｄと進入移動体Ｘとの間の距離）を算出する。以下では、ここで算出された進入移動体Ｘと第２設定領域Ａ２との間の距離を「算出距離」という。
【００５４】
以上、ステップＳ３の算出処理について説明した。以下、図５の説明に戻る。
【００５５】
次に、制御部１６０は、算出距離が第１閾値以上であるか否かを判定する（ステップＳ４）。
【００５６】
算出距離が第１閾値以上である場合（ステップＳ４：ＹＥＳ）、制御部１６０は、車両１００に搭乗者がいるか否かを判定する（ステップＳ５）。
【００５７】
搭乗者の有無は、例えば、隊列走行の開始前にユーザの操作により設定される。例えば、ユーザは、隊列走行の実行を指示する操作を行う前に、車両１００の操作部１４０において、搭乗者の有無を指定する操作を行う。
【００５８】
車両１００に搭乗者がいる場合（ステップＳ５：ＹＥＳ）、制御部１６０は、第１の加速制御を実行する（ステップＳ６）。
【００５９】
第１の加速制御とは、車間距離Ｌが第１車間距離Ｌ１（図４参照）となるまで、車両１００を加速させる制御である。これにより、車両１００と車両２００との間の車間距離を詰めることができ、進入移動体が車両１００と車両２００との間に進入することを防止できる。よって、隊列が分断されず、車両１００は、安定した隊列走行を実行できる。また、第１車間距離Ｌ１を用いるため、第１の加速制御が行われた際に、車両１００の搭乗者は、車両１００が車両２００に追突するのではないかという不安を感じることがない。
【００６０】
車両１００に搭乗者がいない場合（ステップＳ５：ＮＯ）、制御部１６０は、第２の加速制御を実行する（ステップＳ７）。
【００６１】
第２の加速制御とは、車間距離Ｌが第３車間距離Ｌ３（図４参照）となるまで、車両１００を加速させる制御である。これにより、車両１００と車両２００との間の車間距離を詰めることができ、進入移動体が車両１００と車両２００との間に進入することを阻害できる。よって、隊列が分断されず、車両１００は、安定した隊列走行を実行できる。また、第１車間距離Ｌ１より小さい第３車間距離Ｌ３を用いるため、車両１００と車両２００との間への進入移動体の進入を、より効果的に阻害できる。
【００６２】
一方、算出距離が第１閾値以上ではない場合（ステップＳ４：ＮＯ）、制御部１６０は、算出距離が第１閾値より小さい第２閾値未満であるか否かを判定する（ステップＳ８）。
【００６３】
算出距離が第２閾値未満である場合（ステップＳ８：ＹＥＳ）、制御部１６０は、車両１００に搭乗者がいるか否かを判定する（ステップＳ９）。
【００６４】
車両１００に搭乗者がいる場合（ステップＳ９：ＹＥＳ）、制御部１６０は、第２の減速制御を実行する（ステップＳ１１）。
【００６５】
第２の減速制御とは、車間距離Ｌが第２車間距離Ｌ２（図４参照）となるまで、車両１００を減速させる。これにより、車両１００と車両２００との間の車間距離が開き、進入移動体が車両１００に衝突することなく、車両１００と車両２００との間を通過することができる。よって、隊列が分断されず、車両１００は、安定した隊列走行を実行できる。また、第２車間距離Ｌ２を用いるため、第２の減速制御が行われた際に、車両１００の搭乗者は、車両１００が車両２００へ追従せずに取り残されるのではないかという不安を感じることがない。
【００６６】
一方、車両１００に搭乗者がいない場合（ステップＳ９：ＮＯ）、制御部１６０は、第１の減速制御を実行する（ステップＳ１０）。
【００６７】
第１の減速制御とは、車間距離Ｌが第４車間距離Ｌ４（図４参照）となるまで、車両１００を減速させる。これにより、車両１００と車両２００との間の車間距離が開き、進入移動体が車両１００に衝突することなく、車両１００と車両２００との間を通過することができる。よって、隊列が分断されず、車両１００は、安定した隊列走行を実行できる。また、第２車間距離Ｌ２より大きい第４車間距離Ｌ４を用いるため、より余裕をもって進入移動体を車両１００と車両２００との間へ通過させることができる。
【００６８】
算出距離が第２閾値未満ではない場合（ステップＳ８：ＮＯ）、制御部１６０は、車両１００に搭乗者がいるか否かを判定する（ステップＳ１２）。
【００６９】
車両１００に搭乗者がいる場合（ステップＳ１２：ＹＥＳ）、制御部１６０は、上述した第２の減速制御を実行する（ステップＳ１１）。第２の減速制御による作用効果は、上述したとおりであるので、ここでの説明は省略する。
【００７０】
一方、車両１００に搭乗者がいない場合（ステップＳ１２：ＮＯ）、制御部１６０は、上述した第２の加速制御を実行する（ステップＳ７）。第２の加速制御による作用効果は、上述したとおりであるので、ここでの説明は省略する。
【００７１】
以上、車両１００の動作について説明した。
【００７２】
ここまで詳述したように、本実施の形態の車両１００は、所定の車間距離を維持しながら車両２００に追従して自動走行する車両であって、車両１００の周辺において検出された移動体のうち、車両２００と車両１００との間の第２設定領域Ａ２内へ進入しうる進入移動体を決定し、進入移動体と第２設定領域Ａ２との間の距離に基づいて、車両１００を加速または減速させる制御を行うことを特徴とする。車両１００を加速させる制御が行われた場合、進入移動体が車両１００と車両２００との間に進入することを阻害でき、車両１００を減速させる制御が行われた場合、進入移動体が車両１００と車両２００との間を通過することができるので、隊列が分断されることがない。その結果、車両１００は、安定した隊列走行を実現することができる。
【００７３】
また、本実施の形態の車両１００では、車両１００に搭乗者がいる場合、かつ、車両１００を加速させる制御が行われた場合、車両１００の搭乗者は、車両１００が車両２００に追突するのではないかという不安を感じることがない。
【００７４】
また、本実施の形態の車両１００では、車両１００に搭乗者がいる場合、かつ、車両１００を減速させる制御が行われた場合、車両１００の搭乗者は、車両１００が車両２００へ追従せずに取り残されるのではないかという不安を感じることがない。
【００７５】
なお、本開示は、上記実施の形態の説明に限定されず、その趣旨を逸脱しない範囲において種々の変形が可能である。以下、変形例について説明する。
【００７６】
［変形例１］
第１車間距離Ｌ１、第２車間距離Ｌ２、第３車間距離Ｌ３、および第４者間距離Ｌ４は、例えば、車両１００が走行する場所における人混みの度合い、および／または、車両１００が走行する位置において許容されている最高速度に応じて、複数用意され、選択されてもよい。また、その選択は、例えば、ユーザの操作によって行われてもよいし、制御部１６０によって行われてもよい。後者の場合、例えば、制御部１６０は、通信部１２０が受信した人混みの度合いを示す情報および／または許容最高速度を示す情報に基づいて、選択を行ってもよい。
【００７７】
［変形例２］
実施の形態では、第１設定領域Ａ１内に存在する移動体を進入移動体に決定する場合を例に挙げて説明したが、これに限定されない。
【００７８】
例えば、制御部１６０は、検出部１１０によって検出された移動体（または、第１設定領域Ａ１内の移動体）のうち、第２設定領域Ａ２へ向かって移動している移動体を、進入移動体に決定してもよい。
【００７９】
より具体的には、制御部１６０は、検出部１１０によって検出された移動体（または、第１設定領域Ａ１内の移動体）のうち、図６に示した直線ｂと、所定の単位時間において移動体が移動する方向を示すベクトルを含む線との成す角度が所定角度以上であり、かつ、所定の単位時間において上記ベクトルを含む線が図６に示した直線ｂと交わる移動体を、進入移動体に決定してもよい。
【００８０】
［変形例３］
実施の形態では、ユーザにより車両１００における搭乗者の有無が設定される場合を例に挙げて説明したが、これに限定されない。
【００８１】
例えば、車両１００は、車両１００における搭乗者の有無を検知可能なセンサ（例えば、重量センサ、赤外線センサ等）を搭載してもよい。そして、制御部１６０は、そのセンサの検知結果に基づいて、車両１００に搭乗者がいるか否かを判定してもよい（例えば、図５のステップＳ５、Ｓ９、Ｓ１２）。
【００８２】
［変形例４］
制御部１６０は、車両１００と車両２００との車間距離が一定値以上となった場合、車両２００に対して減速または停止を指示する制御情報を送信するように通信部１２０を制御してもよい。この制御情報を受信した車両２００は、減速または停止を行う。これにより、車両１００と車両２００との隊列を維持することができる。
【００８３】
［変形例５］
制御部１６０は、車間距離Ｌを維持して走行するために、通信部１２０が車両２００から受信した車両２００の速度情報に基づいて、車両１００の速度を制御してもよい。これにより、精度良く車両１００の速度を制御でき、安定した隊列走行を実現できる。
【００８４】
［変形例６］
制御部１６０は、車両１００が走行する位置において予め定められた速度に応じて、車両１００の速度を制御してもよい。この場合の具体例を以下に説明する。
【００８５】
車両１００は、車両１００の現在位置を検出する現在位置検出部（図示略）を備える。現在位置検出部は、例えば、ＧＰＳ（Global Positioning System）受信機でもよいし、ビーコン受信機でもよい。また、記憶部１５０は、場所毎に速度が定められた地図情報を記憶する。この地図情報では、例えば、多くの人が存在することが想定される場所に対して、人の歩行速度以下の速度が定められている。
【００８６】
制御部１６０は、記憶部１５０から読み出した地図情報において、現在位置検出部により検出された現在位置に該当する位置を特定し、その位置に定められた速度で車両１００を走行させるように駆動部１３０を制御する。
【００８７】
なお、上記説明では、地図情報が記憶部１５０に記憶されている場合を例に挙げて説明したが、地図情報は、外部の装置から通信部１２０が受信してもよい。
【００８８】
［変形例７］
制御部１６０は、進入移動体に向けて、車両１００に搭載されたスピーカ（図示略）から警告音を出力したり、車両１００に搭載された表示灯（図示略）を点灯させたりしてもよい。これにより、進入移動体に対して車両１００の存在をより認識させることができる。よって、進入移動体は、第２車間距離Ｌ２への進入を容易に回避できる。
【００８９】
なお、車両１００は、スピーカおよび／または表示灯を、車両１００の左右両側に備えることが好ましい。これにより、進入移動体に対して車両１００の存在を認識させるのみならず、車両１００の搭乗者が、進入移動体の存在方向を認識することができる。
【００９０】
［変形例８］
操作部１４０は、搭乗者が車両１００の進行方向および速度を指定する操作を受け付けてもよい。例えば、制御部１６０は、隊列走行中に操作部が上記操作を受け付けた場合、車両２００への追従を中止し、指定された速度で指定された進行方向へ車両１００を走行させるように駆動部１３０を制御する。
【００９１】
これにより、例えば隊列走行中に緊急自体が発生した場合に、搭乗者の意思を反映した走行を実現でき、安全性を確保することができる。なお、上記操作が終了した場合、制御部１６０は、通信部１２０による車両２００との通信に基づいて、再度、隊列走行状態に復帰するように駆動部１３０を制御してもよい。
【００９２】
［変形例９］
制御部１６０は、隊列走行中の車両１００に搭乗者がいる場合、その搭乗者の不安（緊張）の度合いに応じて、加速または減速の制御を行ってもよい。
【００９３】
その場合、制御部１６０は、搭乗者の不安の度合いを、所定のセンサから取得した生体情報（例えば、搭乗者の脈拍、瞳孔の開き具合、または発汗量等を示す情報）に基づいて判定する。例えば、生体情報の値が予め定められた閾値より大きい場合、搭乗者の不安の度合いが高いと判定し、生体情報の値が予め定められた閾値以下である場合、搭乗者の不安の度合いが低いと判定する。
【００９４】
搭乗者の不安の度合いが低い場合、制御部１６０は、図５のステップＳ６において、第１の加速制御ではなく、ステップＳ７の第２の加速制御を行う。すなわち、制御部１６０は、車間距離Ｌが第３車間距離Ｌ３（図４参照）となるまで、車両１００を加速させる。
【００９５】
また、搭乗者の不安の度合いが低い場合、制御部１６０は、図５のステップＳ１１において、第２の減速制御ではなく、ステップＳ１０の第１の減速制御を行う。すなわち、制御部１６０は、車間距離Ｌが第４車間距離Ｌ４（図４参照）となるまで、車両１００を減速させる。
【００９６】
［変形例１０］
車両１００は、走行開始時の隊列編成において、上述した車間距離の設定値を参照してもよい。
【００９７】
具体的には、車両１００は、走行開始時、例えば操作部１４０によって、搭乗者の有無を設定される。そして、車両１００は、追従対象である車両２００との車間距離Ｌを、搭乗者の有無に基づいて決定し、隊列編成を行う。このとき、車間距離Ｌは、搭乗者がいる場合、第１車間距離Ｌ１より大きく、第２車間距離Ｌ２より小さく設定されることが好ましい。また、車間距離Ｌは、搭乗者がいない場合、第３車間距離Ｌ３より大きく、第２車間距離Ｌ２より小さく設定されることが好ましい。さらに、車間距離Ｌは、搭乗者がいない場合のほうが、搭乗者がいる場合よりも小さく設定されることがより好ましい。
【００９８】
２０１９年２月１４日出願の特願２０１９−０２４３１２の日本出願に含まれる明細書、図面および要約書の開示内容は、すべて本願に援用される。
【産業上の利用可能性】
【００９９】
本開示の車両は、複数の人が移動する環境（例えば、屋内外の公共空間）で使用することができ、車椅子を利用する介護分野や福祉分野などにおいて有用である。
【符号の説明】
【０１００】
１００、２００  車両
１０１  フレーム
１０２  着座シート
１０３  背もたれ部
１０４  アームレスト
１０５  車輪
１１０  検出部
１２０  通信部
１３０  駆動部
１４０  操作部
１５０  記憶部
１６０  制御部
【図１Ａ】
2020166433.tif 000003
【図１Ｂ】
2020166433.tif 000004
【図２】
2020166433.tif 000005
【図３】
2020166433.tif 000006
【図４】
2020166433.tif 000007
【図５】
2020166433.tif 000008
【図６】
2020166433.tif 000009
【国際調査報告】
2020166433.tif 000010
2020166433.tif 000011
2020166433.tif 000012
2020166433.tif 000013